(57)【特許請求の範囲】
【請求項１】
モータが設置されたパチンコ機であって、
モータの各端子に、それぞれ第一コンデンサが接続されており、それらの第一コンデンサを介して、モータの各端子が接地されているとともに、
モータの各端子の間に、第二コンデンサが接続されていることを特徴とするパチンコ機。
【請求項２】
モータの端子側の端縁に、第一コンデンサを覆うようにキャップ部材が付設されており、そのキャップ部材によって、第一コンデンサのリード線がモータのフレームに押し付けられていることを特徴とする請求項１に記載のパチンコ機。
【発明の詳細な説明】
【０００１】
【発明の属する技術分野】
本発明は、パチンコ機に関するものである。
【０００２】
【従来の技術】
パチンコ機には、賞品球を払い出す遊技球払出装置や、遊技球タンク等の各種の作動部材が設置されており、それらの作動部材を駆動させる動力源としてモータが使用されることがある。
【０００３】
【発明が解決しようとする課題】
しかしながら、上記の如くモータを設置したパチンコ機においては、モータが駆動した場合に、内部の整流子とブラシとの接触によって火花が発生し、それが放射電磁妨害波として空間を伝搬したり、信号伝達ライン上にノイズとしてのることにより、作動内容を制御する制御装置が誤作動を起こすことがある。
【０００４】
本発明の目的は、上記従来のパチンコ機が有する課題を解消し、モータが駆動した場合でも、放射電磁妨害波が空間を伝搬したり、信号伝達ライン上にノイズがのったりせず、放射電磁妨害波やノイズに起因した制御装置の誤作動が生じないパチンコ機を提供することにある。
【０００５】
【課題を解決するための手段】
かかる本発明の構成のうち、請求項１に記載された発明の構成は、モータが設置されたパチンコ機であって、モータの各端子に、それぞれ第一コンデンサが接続されており、それらの第一コンデンサを介して、モータの各端子が接地されているとともに、モータの各端子の間に、第二コンデンサが接続されていることにある。請求項２に記載された発明の構成は、請求項１に記載された発明において、モータの端子側の端縁に、第一コンデンサを覆うようにキャップ部材が付設されており、そのキャップ部材によって、第一コンデンサのリード線がモータのフレームに押し付けられていることにある。
【０００６】
【発明の実施の形態】
以下、本発明のパチンコ機の一実施形態を、図面に基づいて詳細に説明する。
【０００７】
図１は、パチンコ機１の背面を示したものであり、パチンコ機１は、周囲が機枠２によって覆われている。そして、機枠２の内側には、金属製のミドル枠３が設置されており、そのミドル枠３の裏面には、合成樹脂製の機構板４が設置されている。さらに、その機構板４には、賞品球を計数して払い出す遊技球払出装置５や、遊技球払出装置５へ供給する遊技球を貯留するための遊技球タンク６、作動内容を制御する制御装置３９等が設置されている。
【０００８】
図２は、遊技球タンク６を示したものである。遊技球タンク６は、合成樹脂製のタンク本体４１の下面に、ケース４０によって、貯留した遊技球の凝集を解消し球詰まりを防止するための揺動モータ７が設置されている。揺動モータ７は、駆動軸８の先端に、揺動カム９が固着されており、端子側の端縁に、キャップ部材１３が付設されている。図３は、揺動モータ７およびキャップ部材１３を示したものであり、キャップ部材１３は、ベースキャップ１０、コンデンサ設置板１１、外側キャップ１２によって構成されている（なお、図３においては、揺動カム９の記載が省略されている）。
【０００９】
図４は、ベースキャップ１０を示したものである。ベースキャップ１０は、板状部１４の片面に円周状に取付壁１５が立設されており、他面に円周状に固定壁１６が立設されている。また、板状部１４の左右には、端子挿通孔１７，１７が穿設されている。そして、上部の左右には、リード線挿通孔１８，１８が穿設されており、取付壁１５の内側に位置し、固定壁１６の外側に位置した状態になっている。また、中央には、モータ固定孔２０が穿設されており、そのモータ固定孔２０の上下に、係合孔１９，１９が穿設されている。
【００１０】
一方、図５は、コンデンサ設置板１１を示したものである。コンデンサ設置板１１は、略円形の板状部２１の片面の下部に接続突起体２２が突設されており、その上方に、１つの第二コンデンサ２３、および２つの第一コンデンサ２４，２４が設置されている。なお、第二コンデンサ２３、第一コンデンサ２４は、いずれも、ディップタイプのセラミックコンデンサである。また、板状部２１の左右の端縁が切り欠かれて、端子接続部２５，２５が形成されており、それらの端子接続部２５，２５には、それぞれ銅板２６，２６が敷設されている。各銅板２６，２６は、基端が板状部２１の形状に沿って後方に折り曲げられ、先端が接続突起体２２の基端の内部に入り込んだ状態になっている（なお、図３においては、銅板２６，２６の記載が省略されている）。さらに、第二コンデンサ２３のリード線２７，２７が、それぞれ、左右の銅板２６，２６と接続した状態になっており、２つの第一コンデンサ２４，２４の内側のリード線２８，２８が、それぞれ、左右の銅板２６，２６と接続した状態になっている。また、接続突起体２２の内部には、２つの端子突起２９，２９が立設されており、それらの端子突起２９，２９が、それぞれ左右の銅板２６，２６の先端と接続した状態になっている。
【００１１】
また、図６は、外側キャップ１２を示したものである。外側キャップ１２は、有底円筒状に形成されており、ベースキャップ１０の固定壁１６より一回り大きな周状壁面３０を有している。そして、板状部３１の下端際に、略正方形状の突起体挿通孔３２が穿設されており、内側の上下の端縁際に、外側の先端を矢尻状に形成した係合突起３３，３３が設けられている。また、上部の左右には、中空半円柱状のリード線保護部３４，３４が、周状壁面３０から突出するように設けられている。
【００１２】
キャップ部材１３を揺動モータ７に取り付ける場合には、まず、ベースキャップ１０の端子挿通孔１７，１７に揺動モータ７の端子３６，３６を挿通させ、ベースキャップ１０のモータ固定孔２０に揺動モータ７の軸固定凸部３８を挿通させるようにして、揺動モータ７の端子側の端縁をベースキャップ１０の取付壁１５の内側に嵌入する（図３（ｂ）の状態）。次に、ベースキャップ１０のリード線挿通孔１８，１８に、それぞれ、第一コンデンサ２４，２４の外側のリード線２８，２８を挿通させ、端子接続部２５，２５に敷設された銅板２６，２６に揺動モータ７の端子３６，３６を当接させるようにして、ベースキャップ１０の固定壁１６の内側に、コンデンサ設置板１１を嵌め込む（図３（ｃ）の状態）。さらに、ベースキャップ１０の接続突起体２２を外側キャップ１２の突出体挿通孔３２から突出させ、リード線保護部３４によって第一コンデンサ２４，２４の外側のリード線２８，２８を覆わせ、外側キャップ１２の周状壁面３０の内側にベースキャップ１０の固定壁１６を嵌め込み、外側キャップ１２の係合突起３３，３３をベースキャップ１０の係合孔１９，１９に係合させることによって、外側キャップ１２をベースキャップ１０に取り付ける（図３（ｄ）の状態）。
【００１３】
図７は、キャップ部材１３を取り付けた揺動モータ７の端子側の端縁の透視図、およびキャップ部材１３を取り付けた揺動モータ７の断面図であり、揺動モータ７の２つの端子３６，３６の間には、第二コンデンサ２３が設置されており、第二コンデンサ２３の２つのリード線２７，２７が、それぞれ、銅板２６，２６を介して、揺動モータ７の２つの端子３６，３６に接続された状態になっている。また、揺動モータ７の各端子３６，３６には、それぞれ、銅板２６，２６を介して、第一コンデンサ２４，２４の内側のリード線２８，２８が接続されている。さらに、第一コンデンサ２４，２４の片方の（外側の）リード線２８，２８は、ベースキャップ１０の取付壁１５によって、揺動モータ７の金属フレーム３７に押し付けられている。なお、図８は、キャップ部材１３を取り付けた揺動モータ７の回路を示したものである（図中の「ＦＧ」はフレームグランドを示す）。
【００１４】
かかるパチンコ機１においては、前面側の遊技領域に設置された各種の入賞装置（図示せず）に遊技球が入賞すると、遊技球タンク６に貯留した遊技球が、遊技球払出装置５まで流下し、所定の個数だけ計数された後に、賞品球として、前面側の遊技領域の下方に設けられた供給皿（図示せず）へ払い出される。一方、揺動モータ７の駆動軸８の回転によって、駆動軸８の先端に取り付けられた揺動カム９が回転し、その振動によって、遊技球タンク６内の遊技球の凝集が防止される。また、揺動モータ７の駆動中において、内部の整流子（図示せず）とブラシ（図示せず）との接触によって火花が発生した場合でも、放射電磁妨害波やノイズが、第一コンデンサ２４，２４、第二コンデンサ２３によって除去される。
【００１５】
パチンコ機１は、上記の如く、揺動モータ７の各端子３６，３６に、それぞれ第一コンデンサ２４，２４が接続されており、それらの第一コンデンサ２４，２４を介して、揺動モータ７の各端子３６，３６がフレームグランド（金属フレーム３７）に接地（アース）されているため、揺動モータ７の作動中に、内部の整流子とブラシとの接触によって火花が発生した場合に、放射電磁妨害波やノイズが、第一コンデンサ２４，２４によって除去されるので、放射電磁妨害波やノイズに起因した制御装置３９の誤作動を防止することができる。
【００１６】
また、パチンコ機１は、揺動モータ７の各端子３６，３６の間に、第二コンデンサ２３が接続されているため、揺動モータ７の作動中に、内部の整流子とブラシとの接触によって火花が発生した場合に、放射電磁妨害波やノイズが、第一コンデンサ２４，２４ばかりでなく、第二コンデンサ２３によっても除去されるので、放射電磁妨害波やノイズに起因した制御装置３９の誤作動を効果的に防止することができる。
【００１７】
さらに、パチンコ機１は、第二コンデンサ２３、第一コンデンサ２４，２４がディップタイプのセラミックコンデンサであり、放射電磁妨害波やノイズの除去効率が良好であるので、放射電磁妨害波やノイズに起因した制御装置３９の誤作動を非常に効果的に防止することができる。
【００１８】
加えて、パチンコ機１は、揺動モータ７の端子側の端縁に、各端子３６，３６に接続された第二コンデンサ２３、第一コンデンサ２４，２４を覆うようにキャップ部材１３が付設されており、そのキャップ部材１３によって、第一コンデンサ２４，２４のリード線２８，２８が揺動モータ７の金属フレーム３７に押し付けられているため、第一コンデンサ２４，２４による揺動モータ７の端子３６，３６の接地状態が恒久的に保持されるので、放射電磁妨害波やノイズに起因した制御装置３９の誤作動を長期間に亘って効果的に防止することができる。
【００１９】
一方、パチンコ機１は、上記の如く、キャップ部材１３が、ベースキャップ１０、コンデンサ設置板１１、上側キャップ１２によって構成されており、ベースキャップ１０を揺動モータ７の端子側の端縁に外嵌し、そのベースキャップ１０に、コンデンサ設置板１１、上側キャップ１２を合着させるだけで、揺動モータ７の各端子３６，３６に第一コンデンサ２４，２４および第二コンデンサ２３を接続することができるので、放射電磁妨害波やノイズに起因した制御装置３９の誤作動を、きわめて容易に防止することができる。
【００２０】
なお、本発明の遊技機の構成は、上記した各実施例の態様に何ら限定されるものではなく、機枠、ミドル枠、機構板、遊技球払出装置、遊技球タンク、モータ、キャップ部材等の形状・構造等の構成を、本発明の趣旨を逸脱しない範囲で、必要に応じて適宜変更できる。
【００２１】
たとえば、パチンコ機は、遊技球タンクの揺動モータに第一コンデンサや第二コンデンサを接続したものに限定されず、他の部材や他の部位に設置されたモータに第一コンデンサや第二コンデンサを接続したものでも良い。また、パチンコ機は、第一コンデンサを介してモータの各端子をフレームグランドに接地するとともに、各端子間に第二コンデンサを接続したものに限定されず、第一コンデンサを介してモータの各端子をフレームグランドに接地しただけのものでも良い。そのように構成した場合でも、モータの近傍の合成樹脂製の部材に静電気が貯留する事態を、効果的に防止することができる。一方、第一コンデンサを介してモータの各端子をフレームグランドに接地する方法や、モータの各端子間に第二コンデンサを接続する方法は、上記実施形態の如きキャップ部材を用いる方法に限定されず、モータの端子に単純に第一コンデンサや第二コンデンサのリード線を半田付けする方法等を採用することもできる。加えて、第一コンデンサを介してモータの各端子をフレームグランドに接地する方法は、第一コンデンサの片方のリード線をモータの金属フレームに接地する方法に限定されず、第一コンデンサの片方のリード線を他の金属製部材に接地する方法でも良い。
【００２２】
【発明の効果】
請求項１に記載されたパチンコ機は、モータの各端子に、それぞれ第一コンデンサが接続されており、それらの第一コンデンサを介して、モータの各端子が接地されているため、モータの作動中に、内部の整流子とブラシとの接触によって火花が発生した場合に、放射電磁妨害波やノイズが、第一コンデンサによって除去されるので、放射電磁妨害波やノイズに起因した制御装置の誤作動を防止することができる。また、モータの各端子の間に、第二コンデンサが接続されているため、モータの作動中に、内部の整流子とブラシとの接触によって火花が発生した場合に、放射電磁妨害波やノイズが、第一コンデンサばかりでなく、第二コンデンサによっても除去されるので、放射電磁妨害波やノイズに起因した制御装置の誤作動を効果的に防止することができる。
【００２３】
請求項２に記載されたパチンコ機は、モータの端子側の端縁に、第一コンデンサを覆うようにキャップ部材が付設されており、そのキャップ部材によって、第一コンデンサのリード線がモータのフレームに押し付けられているため、第一コンデンサによる揺動モータの端子の接地状態が恒久的に保持されるので、放射電磁妨害波やノイズに起因した制御装置の誤作動を長期間に亘って効果的に防止することができる。
【図面の簡単な説明】
【図１】パチンコ機の背面を示す説明図である。
【図２】遊技球タンクを示す説明図である。
【図３】揺動モータおよびキャップ部材を示す説明図である。
【図４】ベースキャップを示す説明図である。
【図５】コンデンサ設置板を示す説明図である。
【図６】外側キャップを示す説明図である。
【図７】揺動モータを示す説明図である（（ａ）は揺動モータの背面を透視図であり、（ｂ）は、（ａ）におけるＡ−Ａ線の断面図である）。
【図８】揺動モータの回路を示す説明図である。
【符号の説明】
１・・パチンコ機、２・・機枠、３・・ミドル枠、４・・機構板、５・・遊技球払出装置、６・・遊技球タンク、７・・揺動モータ、８・・駆動軸、９・・揺動カム、１０・・ベースキャップ、１１・・コンデンサ設置板、１２・・外側キャップ、１３・・キャップ部材、１４・・板状部、１５・・取付壁、１６・・固定壁、１７・・端子挿通孔、１８・・リード線挿通孔、１９・・係合孔、２０・・モータ固定孔、２１・・板状部、２２・・接続突起体、２３・・第二コンデンサ、２４・・第一コンデンサ、２５・・端子接続部、２６・・銅板、２７，２８・・リード線、２９・・端子突起、３０・・周状壁面、３１・・板状部、３２・・突起体挿通孔、３３・・係合突起、３４・・リード線保護部、３５・・駆動コイル、３６・・端子、３７・・金属フレーム、３８・・軸固定部、３９・・制御装置、４０・・ケース、４１・・タンク本体。
【図１】
0004032619.tif 000002
【図２】
0004032619.tif 000003
【図３】
0004032619.tif 000004
【図４】
0004032619.tif 000005
【図５】
0004032619.tif 000006
【図６】
0004032619.tif 000007
【図７】
0004032619.tif 000008
【図８】
0004032619.tif 000009